(57)【要約】【課題】原稿載置台からはみ出して載置された原稿に損傷を与えることなく原稿搬送ユニットの搬送路を略直線上に形成することができ、小サイズ原稿の搬送不良を抑制できる画像読取装置、及び画像形成装置を提供する。【解決手段】ＡＤＦ１２０には、原稿載置台２１の上方から斜め下方に向かって傾斜する原稿搬送路１０１が形成される。搬送手段６１は、第１読取ガラス２２の下流側に配置され、下方に突出する凸部に格納される。この凸部は、画像読取ユニット２０の凹部１３１に収容される。搬送手段６１は、原稿搬送路１０１の幅方向に平行な軸周りに下流側を支軸として、上流側が揺動自在になる搬送ガイド６１Ａ〜６１Ｃを備える。搬送ガイド６１Ａ〜６１Ｃは、搬送手段６１から原稿載置台２１側に露出する。搬送ガイド６１Ａ〜６１Ｃは、凹部１３１に原稿にはみ出した状態でＡＤＦ１２０を閉じると、当該原稿によって上流側が押し上げられて上方向に移動する。【選択図】  図５
2011171957.tif 000002
【特許請求の範囲】
【請求項１】
原稿載置台の上面を開閉自在な原稿搬送ユニットと、前記原稿載置台と該原稿載置台の一方の端部に隣接する読取ガラスとを上面に配置し、該原稿載置台に載置した原稿と前記原稿搬送ユニットから搬送され該読取ガラスを通過する原稿との画像を読み取る画像読取ユニットと、を備えた画像読取装置であって、
前記原稿搬送ユニットは、前記原稿載置台の上方から前記読取ガラスを通過して下方に傾斜した搬送路と、前記搬送路における前記読取ガラスの下流側で且つ前記原稿載置台より下方に配置された搬送手段と、該原稿搬送ユニットの底面から下方に突出した凸部であって前記搬送手段を格納する凸部と、を備え、
前記画像読取ユニットは、前記原稿搬送ユニットの凸部を収容する凹部であって前記読取ガラスを挟んで前記原稿載置台と反対側に凹部を備え、
前記搬送手段は、前記搬送路の底面の一部を構成する搬送ガイドであって前記搬送路の原稿搬送方向に直交する方向に平行な軸周りに該搬送路の下流側を支点として上流側を揺動自在に支持された搬送ガイドを含み、
前記搬送ガイドは、前記搬送路における上流側が前記凸部から露出する、画像読取装置。
【請求項２】
前記搬送手段は、それぞれが前記搬送路の原稿搬送方向に直交する方向に沿って原稿搬送ユニットのフレームに個別に支持された複数の前記搬送ガイドを含む請求項１に記載の画像読取装置。
【請求項３】
前記原稿搬送ユニットは、前記搬送路における前記読取ガラスの下流側の分岐点から上方に分岐した分岐路と、前記搬送路に搬送される原稿のサイズを検出する検出手段と、前記分岐点に配置された切換手段であって前記分岐点より下流側の前記搬送路又は前記分岐路へ選択的に原稿を搬送する切換手段と、前記検出手段が所定サイズより小さいサイズを検出した場合に前記分岐点より下流側の前記搬送路へ搬送する請求項１又は２に記載の画像読取装置。
【請求項４】
請求項１〜３のいずれかに記載の画像読取装置と、
前記画像読取装置が原稿から読み取った画像データに基づいて用紙に画像を形成する画像形成部と、を備えた画像形成装置。
【発明の詳細な説明】
【技術分野】
【０００１】
この発明は、逐次搬送される原稿の画像と原稿載置台上の原稿の画像とを読み取り可能な画像読取装置、及びこの画像読取装置を備えた画像形成装置に関する。
【背景技術】
【０００２】
画像読取装置として、原稿を載置する原稿載置台を上面に備えた画像読取ユニットと、該原稿載置台の上面を開閉自在な原稿搬送ユニットと、を備えたものがある。画像読取ユニットは、第１画像読取手段を備えている。第１画像読取手段は、水平に配置された第１原稿読取位置である原稿載置台上の原稿の画像を原稿載置台に平行に移動しつつ読み取る。また、第１画像読取手段は、原稿搬送ユニットが搬送する原稿の画像を第１原稿読取位置とは異なる第２原稿読取位置に静止して読み取る。このため、第１原稿読取位置と第２原稿読取位置とは、画像読取ユニットにおける同一平面内に配置されている。
【０００３】
原稿搬送ユニットには、原稿が１枚ずつ第２原稿読取位置を経由して搬送される搬送路が形成されている。原稿搬送ユニットは、画像読取前の原稿を収容する原稿トレイから第２原稿読取位置を経由して画像読取後の原稿を収容する排紙トレイに至る搬送路を備えている。原稿トレイ及び排紙トレイは、省スペース化の要請から、原稿載置台の上方で上下に配置される場合が多い。
【０００４】
搬送路は、原稿載置台と同一平面内にある第２読取位置を経由する必要がある。また、搬送路には原稿を挟持して搬送する複数対の搬送ローラ対が配置され、少なくとも一部の搬送ローラ対は原稿載置台の上方に配置される。このため、搬送路は、原稿載置台の上方の原稿トレイから第２原稿読取位置に向かって下向きに傾斜した傾斜部と、第２原稿読取位置から原稿載置台の上方の排紙トレイに向かう湾曲部と、を備える。カードや名刺等の小サイズ原稿は、屈曲部での変形によって損傷やジャム等の搬送不良を生じる可能性が高い。
【０００５】
そこで、従来の画像読取装置として、小サイズ原稿の搬送不良の発生を低減するために、原稿搬送ユニットの搬送路を上流側から下流側に向けて下向きに略直線上に傾斜させたものがある（例えば、特許文献１参照。）。このような画像読取装置では、排紙トレイを原稿搬送方向における第２原稿読取位置の下流側で第２原稿読取位置の下方に配置され、第２原稿読取位置の下流側に位置する搬送ローラ対等の搬送部材を格納する凸部が原稿搬送ユニットの底面から下方に突出している。画像読取ユニットの上面には、閉鎖位置にある画像読取ユニットの底面における原稿載置台に対向する部分で原稿載置台の上面を遮光できるように、原稿搬送ユニットの凸部を収容する凹部が原稿載置台に近接して形成されている。
【先行技術文献】
【特許文献】
【０００６】
【特許文献１】特開平６−１１５７８９号公報
【発明の概要】
【発明が解決しようとする課題】
【０００７】
しかし、画像読取ユニットの上面の原稿載置台に近接する位置に凹部を形成すると、原稿の一部の画像を読み取る際に原稿載置台から凹部にはみ出した部分が、閉鎖位置にある原稿搬送ユニットの凸部と凹部との間に挟まれ、原稿に損傷を与える問題がある。
【０００８】
この発明の目的は、原稿載置台からはみ出して載置された原稿に損傷を与えることなく原稿搬送ユニットの搬送路を略直線上に形成することができ、小サイズ原稿の搬送不良を抑制できる画像読取装置を提供することにある。
【課題を解決するための手段】
【０００９】
この発明の画像読取装置は、原稿載置台と前記原稿載置台の一方の端部に隣接する読取ガラスとを上面に配置した画像読取ユニットと、前記原稿載置台の上面を開閉自在な原稿搬送ユニットと、を備える。
【００１０】
原稿搬送ユニットは、搬送路と搬送手段と凸部とを備える。搬送路は、原稿載置台の上方から読取ガラスを経て下方に向かって傾斜している。この搬送路を搬送される原稿は、前記読取ガラスを通過する。搬送手段は、搬送路における読取ガラスの下流側で且つ原稿載置台より下方に配置される。凸部は、原稿搬送ユニットの底面から下方に突出した凸部であって前記搬送手段を格納する。画像読取ユニットは、凹部を備える。凹部は、原稿搬送ユニットの凸部を収容する凹部であって、読取ガラスを挟んで原稿載置台と反対側に配置される。
【００１１】
搬送手段は、前記搬送路の底面の一部を構成する搬送ガイドであって前記搬送路の原稿搬送方向に直交する方向に平行な軸周りに、該搬送路の下流側を支点として上流側を揺動自在に支持された搬送ガイドを含み、搬送ガイドは、上流側が前記凸部から露出する。
【００１２】
この構成においては、原稿載置台から凹部へ原稿がはみ出していない状態で、原稿搬送ユニットが閉じられると、搬送ガイドは、自重により上流側が下がり、原稿を搬送する搬送路の一部になる。また、原稿載置台から凹部へ原稿がはみ出した状態で、原稿搬送ユニットが閉じられると、搬送ガイドは、凹部へはみ出した原稿により押し上げられて上方向に移動するため、凹部へはみ出した原稿を押し下げない。
【００１３】
搬送手段は、それぞれが搬送路の原稿搬送方向に直交する方向に沿って原稿搬送ユニットのフレームに個別に支持された複数の搬送ガイドを含むことが好ましい。
【００１４】
この構成では、原稿搬送ユニットの製造時や使用時にフレームにそれやねじれ等が生じたとしても、各搬送ガイドが個別に移動し適切な位置に配置されるため、原稿の搬送を阻害する要因になりにくい。
【００１５】
原稿搬送ユニットは、分岐路と検出手段と切換手段とを備える構成であることが好ましい。分岐路は、搬送路における読取ガラスの下流側の分岐点から上方に分岐している。検出手段は、搬送路に搬送される原稿のサイズを検出する。切換手段は、分岐点に配置され、読取ガラスの下流側の搬送路又は分岐路へ選択的に原稿を搬送する。切換手段は、検出手段が所定サイズより小さいサイズを検出した場合に読取ガラスの下流側の搬送路へ原稿を搬送する。
【００１６】
この構成では、原稿搬送ユニットは、ジャム等の搬送不良になりやすい小さいサイズの原稿を、原稿載置台の上方から斜め下方向に傾斜した搬送路へ搬送するため、搬送不良が生じる可能性を低減している。
【００１７】
この発明の画像形成装置は、画像読取装置と、画像読取装置が原稿から読み取った画像データに基づいて用紙に画像を形成する画像形成部と、を備える。
【発明の効果】
【００１８】
画像読取装置は、原稿載置台からはみ出して載置された原稿に損傷を与えることなく原稿搬送ユニットの搬送路を略直線上に形成することができ、小サイズ原稿の搬送不良を抑制できる。
【図面の簡単な説明】
【００１９】
【図１】画像形成装置の概略の正面断面図である。
【図２】画像読取装置の概略の正面断面図である。
【図３】画像読取ユニットの上面から見た外観図である。
【図４】自動原稿搬送装置の外観図である。
【図５】画像読取装置の概略の正面断面図の一部拡大図である。
【図６】画像読取ユニットの下面から見た外観図である。
【図７】画像読取ユニットの下面から見た外観図の一部拡大図である。
【図８】基板に併設された搬送ガイドの外観図である。
【発明を実施するための形態】
【００２０】
この発明の実施形態に係る画像読取装置１３０を備えた画像形成装置１００について図を参照して説明する。なお、この画像読取装置は、複合機である画像形成装置１００に代えて、複写機やファクシミリ装置に備えられるものであってもよい。
【００２１】
図１に示すように、画像形成装置１００は、装置本体１１０及び画像読取装置１３０により構成され、外部から伝達された画像データに応じて、用紙に多色又は単色の画像を形成する。
【００２２】
装置本体１１０は、中間転写ベルトユニット４０、画像形成ステーション３０Ａ〜画像形成ステーション３０Ｄ、２次転写ユニット５１、露光ユニット５２、及び定着ユニット５３を備えている。中間転写ベルトユニット４０は、無端ベルトである中間転写ベルト４１を駆動ローラ４２及び従動ローラ４３等によって回転自在に張架している。
【００２３】
画像形成ステーション３０Ａ〜画像形成ステーション３０Ｄは、それぞれブラック、シアン、マゼンタ及びイエローの各色の現像剤を用いて電子写真方式の画像形成を行う。例えば、画像形成ステーション３０Ａは、感光体ドラム３１Ａの周囲に帯電器３２Ａ、現像器３３Ａ、１次転写器３４Ａを配置している。画像形成ステーション３０Ｂ〜画像形成ステーション３０Ｄは、画像形成ステーション３０Ａと同様に構成されている。
【００２４】
露光ユニット５２は、画像読取装置１３０で読み取られたブラック、シアン、マゼンタ及びイエローの各色の画像データに基づいて半導体レーザ（不図示）を駆動し、各色のレーザ光を画像形成ステーション３０Ｂ〜画像形成ステーション３０Ｄに配光する。露光ユニット５２は、画像データに基づいて駆動されるＬＥＤアレイ等の半導体レーザ以外の光源を用いたものであってもよい。
【００２５】
例えば、画像形成ステーション３０Ａでは、感光体ドラム３１Ａの周面が、帯電器３２Ａによって均一に帯電された後、露光ユニット５２から配光されたブラックの画像データに基づくレーザ光で露光される。これによって、感光体ドラム３１Ａの周面に、ブラックの画像データに基づく静電潜像が形成される。次いで、感光体ドラム３１Ａの周面には、現像器３３Ａからブラックの現像剤が供給され、静電潜像がブラックのトナー像に可視像化される。感光体ドラム３１Ａの周面に形成されたトナー像は、１次転写器３４Ａによって中間転写ベルト４１の表面に転写される。
【００２６】
カラー画像形成時には、画像形成ステーション３０Ｂ〜画像形成ステーション３０Ｄでも、シアン、マゼンタ及びイエローの各色について、画像形成ステーション３０Ａと同様の処理が行われる。ブラック、シアン、マゼンタ及びイエローの各色のトナー像が、中間転写ベルト４１の表面で重ね合わされる。
【００２７】
装置本体１１０は、給紙カセット８１、手差しトレイ８２、及び用紙搬送路８３をさらに備えている。給紙カセット８１には、使用頻度の比較的高いサイズ及び種類の用紙が複数枚収納される。手差しトレイ８２には、使用頻度の比較的低いサイズや種類の用紙が載置される。
【００２８】
用紙搬送路８３は、給紙カセット８１及び手差しトレイ８２から排紙部７０に至る間に形成されている。用紙搬送路８３には、２次転写ユニット５１及び定着ユニット５３が配置される。２次転写ユニット５１は、中間転写ベルト４１の表面に担持されたトナー像を用紙に転写する。定着ユニット５３は、トナー像が転写された用紙を加熱及び加圧し、用紙にトナー像を定着させる。
【００２９】
次に、画像読取装置１３０について、図２〜４を参照して説明する。図２に示すように、画像読取装置１３０は、自動原稿搬送ユニット（ＡＤＦ：Ａｕｔｏｍａｔｉｃ  Ｄｏｃｕｍｅｎｔ  Ｆｅｅｄｅｒ、本発明の原稿搬送ユニットである。）１２０、及び画像読取ユニット２０を備えている。
【００３０】
画像読取ユニット２０は、凹部１３１、原稿載置台２１、第１読取ガラス２２（本発明の読取ガラスである。）を上面に並設し、これらの下方に第１原稿読取手段２３を備える。原稿載置台２１及び第１読取ガラス２２は、硬質ガラス板によって構成されている。原稿載置台２１は、水平に配置される。凹部１３１は、第１読取ガラス２２を挟んで、原稿載置台２１と反対側の位置に配置される（図３参照）。第１読取ガラス２２は、原稿載置台２１の上方から斜め下方向に向かって傾斜するように配置される。
【００３１】
画像読取ユニット２０は、原稿載置台２１及び第１読取ガラス２２の下方に、水平方向に移動自在に第１原稿読取手段２３を配置する。第１原稿読取手段２３は、逐次搬送され第１読取ガラス２２を通過する原稿の画像の読み取りと、原稿載置台２１に載置された原稿の画像の読み取りとを行う。第１原稿読取手段２３は、原稿の画像面に向けて光源の光を照射し、原稿の画像面における反射光に基づいて画像データを生成する。
【００３２】
第１読取ガラス２２を通過する原稿の画像面までの光路長は、原稿載置台２１に載置された原稿の画像面までの光路長と等しくなる。このため、画像読取ユニット２０は、第１読取ガラス２２における画像読取位置と、原稿載置台２１における画像読取位置と、を同一平面内に備える。
【００３３】
ＡＤＦ１２０は、原稿載置台２１の上面を開閉自在に被覆するように、背面側を支点に図１の矢印Ｍの方向に回動自在にされている。前面側が上方に移動するようにＡＤＦ１２０を回動させて原稿載置台２１の上面を露出させることにより、ＡＤＦ１２０を用いずに手動操作によって原稿載置台２１に原稿を載置することができる。
【００３４】
ＡＤＦ１２０は、さらに第２原稿読取手段２５を備えている。第２原稿読取手段２５は、逐次搬送される原稿が第２読取ガラス２４を通過するときに原稿の画像を読み取る。第２読取ガラス２４は、原稿搬送路１０１を挟んで、第１読取ガラス２２と対向する位置に配置されている。
【００３５】
原稿載置台２１に載置された原稿の画像を読み取る際には、画像読取ユニット２０は、原稿載置台２１の下方に第１原稿読取手段２３を移動させる。第１原稿読取手段２３は、原稿載置台２１の下方を水平に移動し、原稿載置台２１に載置された原稿の画像を読み取る。
【００３６】
ＡＤＦ１２０によって搬送される原稿の画像を読み取る際には、画像読取ユニット２０は、第１読取ガラス２２の下方に第１原稿読取手段２３を移動させる。第１原稿読取手段２３は、ＡＤＦ１２０によって搬送される原稿が第１読取ガラス２２を通過する際に第１面を読み取り、第２原稿読取手段２５は、原稿が第２読取ガラス２４を通過する際に第２面を読み取る。
【００３７】
また、ＡＤＦ１２０には、原稿積載トレイ９１から第１読取ガラス２２を経由して、原稿排出トレイ９３へ至る原稿搬送路１０１が形成されている。原稿搬送路１０１には、第１読取ガラス２２の下流側に原稿排出トレイ９２へ至る分岐路１０２が形成されている。原稿搬送路１０１は、原稿載置台２１の上方から斜め下方向に向かって傾斜している。
【００３８】
特に、第１読取ガラス２２の上流側と下流側とに設けられた搬送ローラ対９７，９８の間の原稿搬送路１０１は、一直線上に形成されている。これにより、原稿搬送路１０１を搬送される原稿は、第１原稿読取手段２３及び第２原稿読取手段２５により正確に画像を読み取られる。
【００３９】
図５に示すように、原稿搬送路１０１には、搬送ローラ対９８の下流側に、原稿排出トレイ９２へ至る分岐路１０２との分岐点にゲート（本発明の切換手段である。）９０が配置されている。ゲート９０は、制御部（不図示）により制御され、原稿搬送路１０１に平行な軸周りに下流側を支点として、上流側が回動自在になっている。制御部は、原稿のサイズを検出すると、検出した原稿のサイズに基づいてソレノイド（不図示）の通電を切り換えてゲート９０を回動し、原稿排出トレイ９２へ至る分岐路１０２又は原稿排出トレイ９３へ至る原稿搬送路１０１に切り換える。
【００４０】
制御部は、搬送される原稿のサイズが所定サイズより小さいサイズの場合には、図５の破線で示す位置へゲート９０の上流側を回動して、原稿排出トレイ９３へ至る原稿搬送路１０１に切り換える。所定サイズより小さいサイズの原稿とは、例えば、名刺やカード等の原稿をいう。また、制御部は、搬送される原稿のサイズが所定サイズより小さいサイズ以外の場合に、図５の実線で示す位置へゲート９０の上流側を回動して、原稿排出トレイ９２へ至る分岐路１０２に切り換える。
【００４１】
また、制御部は、原稿積載トレイ９１の両端に設けた原稿規制ガイド９１１（図４参照。）間の距離と、原稿の搬送距離を検知する走行検知センサ９１２の検知結果と、に基づいて原稿のサイズを検出する。原稿規制ガイド９１１間の距離は、原稿の幅に相当し、原稿規制ガイド９１１に設けたセンサ（不図示）により計測される。また、原稿の搬送距離は、原稿の長さに相当する。なお、原稿のサイズは、ユーザに指定させてもよい。
【００４２】
ＡＤＦ１２０は、原稿積載トレイ９１に積載された原稿をピックアップローラ９４により１枚ずつ繰り出し、給紙ローラ９５により原稿搬送路１０１に搬送する。搬送された原稿は、搬送ローラ対９６，９７により搬送され、第１読取ガラス２２を経て、搬送ローラ対９８により分岐点まで搬送される。所定より小さいサイズの原稿の場合には、原稿は搬送ローラ対９９により原稿排出トレイ９３へ排出される。所定より小さいサイズ以外の場合には、原稿はＵターン方向へ向かう原稿排出トレイ９２へ排出される。
【００４３】
また、原稿搬送路１０１には、第１読取ガラス２２の下流側に、搬送ローラ対９８，９９及び搬送手段６１が配置される。搬送ローラ対９８は、上側が駆動ローラで、下側が従動ローラ６１１である。搬送ローラ対９９は、上側が駆動ローラで、下側が従動ローラ６１２である。搬送手段６１は、第１読取ガラス２２の下流側の原稿搬送路１０１の一部を構成する。搬送手段６１は、第１読取ガラス２２における画像読取位置と、原稿載置台２１における画像読取位置とが同一平面内に位置するため、原稿載置台２１より下方に位置し、ＡＤＦ１２０の底面から下方に突出する凸部２０１に格納される。この凸部２０１は、画像読取ユニット２０の凹部１３１に収容される。
【００４４】
また、搬送手段６１は、複数の搬送ガイド６１Ａ〜６１Ｃを備える（図６、７参照）。各搬送ガイド６１Ａ〜６１Ｃは、それぞれ原稿搬送路１０１の原稿搬送方向に直交する方向（以下、幅方向と称す。）に並設される。
【００４５】
図５，８に示すように、複数の搬送ガイド６１Ａ〜６１Ｃは、上流側を基板６１０から露出させて、下流側が基板６１０に支持される。この基板６１０は、凸部２０１の一部を構成し、原稿搬送路１０１の幅方向を長手方向としてＡＤＦ１２０のフレームに配設される（図６参照）。
【００４６】
搬送ガイド６１Ａの下流側には、従動ローラ６１１が基板６１０に配設される。一部の従動ローラ６１１の下流側には、従動ローラ６１２が基板６１０に配設される。搬送ガイド６１Ｂは、両端に位置し、搬送ガイド６１Ａ、６１Ｃと比較して、原稿搬送路１０１の幅方向に長い形状となっている。搬送ガイド６１Ｃは、搬送ガイド６１Ａの両隣に位置し、搬送ガイド６１Ａ、６１Ｂと比較して、原稿搬送路１０１の幅方向に短い形状となっている。
【００４７】
また、搬送ガイド６１Ａ〜６１Ｃは、それぞれ原稿をガイドする本体と該本体から延びた２本の脚部とを備える。搬送ガイド６１Ａ〜６１Ｃは、２本の脚部を貫通する方向を軸方向とする支軸（本発明の回転軸である。）６１３Ａ〜６１３Ｃを備える。搬送ガイド６１Ａ〜６１Ｃの支軸６１３Ａ〜６１３Ｃは、基板６１０に形成された長穴に取り付けられ、長穴を上下方向に移動可能である。この長穴は、搬送ガイド６１Ａ〜６１Ｃの揺動範囲を制限するものである。
【００４８】
搬送ガイド６１Ａ〜６１Ｃは、原稿搬送路１０１の幅方向に平行な軸周りに原稿搬送路１０１の下流側を支軸６１３Ａ〜６１３Ｃとし、上流側がそれぞれ個別に揺動自在となるように、基板６１０に並設される。搬送ガイド６１Ａ〜６１Ｃは、揺動自在な上流側が基板６１０から露出するように並設されるため、上流側が凸部２０１の原稿載置台２０側から露出する。また、搬送ガイド６１Ｂ、６１Ｃは、支軸６１３Ｂ、６１３Ｃの軸方向を一直線上で、且つそれぞれの支軸６１３Ｂ、６１３Ｃを搬送ガイド６１Ａの支軸６１３Ａより原稿搬送路１０１の下流側に配置している。
【００４９】
搬送ガイド６１Ａは、原稿搬送路１０１の幅方向に平行な軸周りに原稿搬送路１０１の下流側を支軸６１３Ａとして、上流側が凸部２０１の原稿載置台２０側から露出し、揺動自在になっている。このため、搬送ガイド６１Ａは、画像読取ユニット２０の凹部１３１に原稿がはみ出していない状態で、ＡＤＦ１２０を閉じると、図５の実線で示すように上流側が下方向に自重し、原稿を搬送する搬送路の一部になる。また、搬送ガイド６１Ａは、凹部１３１に原稿がはみ出した状態で、ＡＤＦ１２０を閉じると、当該原稿によって搬送ガイド６１Ａの上流側が押し上げられて、図５の一点破線で示すように上流側が上方向に移動する。
【００５０】
搬送ガイド６１Ｂ、６１Ｃについても搬送ガイド６１Ａと同様に、画像読取ユニット２０の凹部１３１に原稿がはみ出していない状態でＡＤＦ１２０を閉じると、支軸６１３Ｂ、６１３Ｃが長穴の下方向に移動して、上流側が下方向に自重し、原稿を搬送する搬送路の一部になる。搬送ガイド６１Ｂ、６１Ｃは、凹部１３１に原稿がはみ出した状態で、ＡＤＦ１２０を閉じると、支軸６１３Ｂ、６１３Ｃが長穴の上方向に移動して、上流側が上方向に移動する。
【００５１】
以上より、画像読取装置１３０は、凹部１３１に原稿がはみ出した状態でＡＤＦ１２０を閉じたとしても、原稿載置台からはみ出した原稿に損傷を与えにくい。
【００５２】
また、搬送ガイド６１Ａ〜６１Ｃは、複数からなるため、ＡＤＦ１２０に配設した基板６１０にそれやねじれ等が発生したとしても、搬送ガイド６１Ａ〜６１Ｃが個別に移動し設計上の適切な位置に配置される。この結果、搬送ガイド６１Ａ〜６１Ｃが原稿の搬送を阻害する要因となりにくいので、ジャムの発生を低減することができる。
【００５３】
なお、上述の実施例では、搬送ガイド６１Ａ〜６１Ｃは基板６１０に並設されたが、ＡＤＦ１２０のフレームに直接並設されてもよい。この場合、ＡＤＦ１２０のフレームにそれやねじれが生じたとしても、搬送ガイド６１Ａ〜６１Ｃは個別に移動して適切な位置に配置される。
【００５４】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５５】
１２０…自動原稿搬送ユニット，
１３０…画像読取装置，
１３１…凹部，
２０…画像読取ユニット，
２０１…凸部，
２１…原稿載置台，
２２…第１読取ガラス，
６１…搬送手段，
６１Ａ〜６１Ｃ…搬送ガイド，
１０１…原稿搬送路，
１０２…分岐路，
６１３Ａ〜６１３Ｃ…支軸，
【図１】
2011171957.tif 000003
【図２】
2011171957.tif 000004
【図３】
2011171957.tif 000005
【図４】
2011171957.tif 000006
【図５】
2011171957.tif 000007
【図６】
2011171957.tif 000008
【図７】
2011171957.tif 000009
【図８】
2011171957.tif 000010